【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
画像処理装置とファイルを管理する管理装置とを含むファイル管理システムであって、
前記画像処理装置は、
編集する第１のファイルを選択するファイル選択手段と、
前記第１のファイルにおける編集位置を指定する指定手段と、
前記指定手段により指定される編集位置に対応する、前記第１のファイルを編集するユーザのユーザ情報を選択するユーザ選択手段と、
前記ユーザ選択手段により選択されたユーザ情報で前記第１のファイルを編集するべく、チェックアウト指示を受け付けるチェックアウト指示手段と、
前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段と
を備え、
前記管理装置は、
前記第１のファイルのファイル識別情報と、前記ユーザ情報と、前記第１のファイルにおける編集位置の情報とを含む、ユーザ情報それぞれに対してチェックアウトするチェックアウト要求を受信する受信制御手段と、
前記編集位置の情報に従って、前記ファイル識別情報に対応する第１のファイルから複数の第２のファイルを生成する生成手段と、
前記ユーザ情報を用いて、前記生成された複数の第２のファイルをチェックアウトするチェックアウト手段と
を備えることを特徴とするファイル管理システム。
【請求項２】
前記画像処理装置は、
前記第２のファイルのチェックアウトしたユーザ情報により、前記第２のファイルのチェックイン指示を受け付けるチェックイン指示手段を更に備え、
前記送信制御手段は、前記第２のファイルをチェックインすべく、スキャンにより得られたファイルを送信し、
前記管理装置は、
前記受信制御手段は、前記のファイルを受信し、
前記受信したファイルを用いて、前記第２のファイルをチェックインするチェックイン手段を更に備えることを特徴とする請求項１に記載のファイル管理システム。
【請求項３】
前記チェックアウト手段は、前記ユーザ情報を用いて、前記生成された複数の第２のファイルをチェックアウトし、前記第１のファイルをチェックアウト指示したユーザで前記第１のファイルをチェックアウトすることを特徴とする請求項２に記載のファイル管理システム。
【請求項４】
前記管理装置は、
前記生成手段は、前記チェックイン手段によりチェックインされた前記複数の第２のファイルを結合した結合ファイルを生成し、
前記チェックイン手段は、前記結合されたファイルを用いて、前記第１のファイルをチェックインすることを特徴とする請求項３に記載のファイル管理システム。
【請求項５】
前記管理装置は、
前記複数の第２のファイルに対してチェックインされたか否かを判定する判定手段を更に備え、
前記チェックイン手段は、前記複数の第２のファイルに対してチェックインされたと判定される場合に、前記生成手段で結合ファイルを生成し、当該結合ファイルを用いて前記第１のファイルをチェックインすることを特徴とする請求項４に記載のファイル管理システム。
【請求項６】
前記画像処理装置は、
前記第１のファイルと前記第２のファイルを対応付けて表示し、当該第１のファイルと第２のファイルのチェックアウト・チェックイン状態を表示する表示手段を更に備え、
前記表示手段は、前記第１のファイルのチェックインがされた場合に、前記第２のファイルを表示することなく、更新された第１のファイルを表示することを特徴とする請求項５に記載のファイル管理システム。
【請求項７】
第１のファイルのファイル識別情報と、ユーザ情報と、前記第１のファイルにおける編集位置の情報とを含む、ユーザ情報それぞれに対してチェックアウトするチェックアウト要求を受信する受信制御手段と、前記編集位置の情報に従って、前記ファイル識別情報に対応する第１のファイルから複数の第２のファイルを生成する生成手段と、前記ユーザ情報を用いて、前記生成された複数の第２のファイルをチェックアウトするチェックアウト手段とを備える管理装置と通信可能な画像処理装置であって、
編集する第１のファイルを選択するファイル選択手段と、
前記第１のファイルにおける編集位置を指定する指定手段と、
前記指定手段により指定される編集位置に対応する、前記第１のファイルを編集するユーザのユーザ情報を選択するユーザ選択手段と、
前記ユーザ選択手段により選択されたユーザ情報で前記第１のファイルを編集するべく、チェックアウト指示を受け付けるチェックアウト指示手段と、
前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段と
を備えることを特徴とする画像処理装置。
【請求項８】
編集する第１のファイルを選択するファイル選択手段と、前記第１のファイルにおける編集位置を指定する指定手段と、前記指定手段により指定される編集位置に対応する、前記第１のファイルを編集するユーザのユーザ情報を選択するユーザ選択手段と、前記ユーザ選択手段により選択されたユーザ情報で前記第１のファイルを編集するべく、チェックアウト指示を受け付けるチェックアウト指示手段と、前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段とを備える画像処理装置と通信可能な管理装置であって、
前記第１のファイルのファイル識別情報と、前記ユーザ情報と、前記第１のファイルにおける編集位置の情報とを含む、ユーザ情報それぞれに対してチェックアウトするチェックアウト要求を受信する受信制御手段と、
前記編集位置の情報に従って、前記ファイル識別情報に対応する第１のファイルから複数の第２のファイルを生成する生成手段と、
前記ユーザ情報を用いて、前記生成された複数の第２のファイルをチェックアウトするチェックアウト手段と
を備えることを特徴とする管理装置。
【請求項９】
画像処理装置とファイルを管理する管理装置とを含むファイル管理システムの処理方法であって、
前記画像処理装置において、
編集する第１のファイルを選択するファイル選択ステップと、
前記第１のファイルにおける編集位置を指定する指定ステップと、
前記指定ステップにより指定される編集位置に対応する、前記第１のファイルを編集するユーザのユーザ情報を選択するユーザ選択ステップと、
前記ユーザ選択ステップにより選択されたユーザ情報で前記第１のファイルを編集するべく、チェックアウト指示を受け付けるチェックアウト指示ステップと、
前記チェックアウト指示ステップによるチェックアウト指示に従って、前記第１のファイルのファイル識別情報と、前記ユーザ情報と、前記ユーザ情報に対応する前記第１のファイルにおける編集位置の情報とを含む、前記ユーザ選択ステップにより選択されたユーザ情報それぞれに対してチェックアウトするチェックアウト要求を送信する送信制御ステップと
を含み、
前記管理装置において、
前記第１のファイルのファイル識別情報と、前記ユーザ情報と、前記第１のファイルにおける編集位置の情報とを含む、ユーザ情報それぞれに対してチェックアウトするチェックアウト要求を受信する受信制御ステップと、
前記編集位置の情報に従って、前記ファイル識別情報に対応する第１のファイルから複数の第２のファイルを生成する生成ステップと、
前記ユーザ情報を用いて、前記生成された複数の第２のファイルをチェックアウトするチェックアウトステップと
を含むことを特徴とする処理方法。
【請求項１０】
第１のファイルのファイル識別情報と、ユーザ情報と、前記第１のファイルにおける編集位置の情報とを含む、ユーザ情報それぞれに対してチェックアウトするチェックアウト要求を受信する受信制御手段と、前記編集位置の情報に従って、前記ファイル識別情報に対応する第１のファイルから複数の第２のファイルを生成する生成手段と、前記ユーザ情報を用いて、前記生成された複数の第２のファイルをチェックアウトするチェックアウト手段とを備える管理装置と通信可能な画像処理装置の処理方法であって、
前記画像処理装置において、
編集する第１のファイルを選択するファイル選択ステップと、
前記第１のファイルにおける編集位置を指定する指定ステップと、
前記指定ステップにより指定される編集位置に対応する、前記第１のファイルを編集するユーザのユーザ情報を選択するユーザ選択ステップと、
前記ユーザ選択ステップにより選択されたユーザ情報で前記第１のファイルを編集するべく、チェックアウト指示を受け付けるチェックアウト指示ステップと、
前記チェックアウト指示ステップによるチェックアウト指示に従って、前記第１のファイルのファイル識別情報と、前記ユーザ情報と、前記ユーザ情報に対応する前記第１のファイルにおける編集位置の情報とを含む、前記ユーザ選択ステップにより選択されたユーザ情報それぞれに対してチェックアウトするチェックアウト要求を送信する送信制御ステップと
を含むことを特徴とする処理方法。
【請求項１１】
編集する第１のファイルを選択するファイル選択手段と、前記第１のファイルにおける編集位置を指定する指定手段と、前記指定手段により指定される編集位置に対応する、前記第１のファイルを編集するユーザのユーザ情報を選択するユーザ選択手段と、前記ユーザ選択手段により選択されたユーザ情報で前記第１のファイルを編集するべく、チェックアウト指示を受け付けるチェックアウト指示手段と、前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段とを備える画像処理装置と通信可能な管理装置の処理方法であって、
前記管理装置において、
前記第１のファイルのファイル識別情報と、前記ユーザ情報と、前記第１のファイルにおける編集位置の情報とを含む、ユーザ情報それぞれに対してチェックアウトするチェックアウト要求を受信する受信制御ステップと、
前記編集位置の情報に従って、前記ファイル識別情報に対応する第１のファイルから複数の第２のファイルを生成する生成ステップと、
前記ユーザ情報を用いて、前記生成された複数の第２のファイルをチェックアウトするチェックアウトステップと
を含むことを特徴とする処理方法。
【請求項１２】
画像処理装置とファイルを管理する管理装置とを含むファイル管理システムのプログラムであって、
前記画像処理装置を、
編集する第１のファイルを選択するファイル選択手段と、
前記第１のファイルにおける編集位置を指定する指定手段と、
前記指定手段により指定される編集位置に対応する、前記第１のファイルを編集するユーザのユーザ情報を選択するユーザ選択手段と、
前記ユーザ選択手段により選択されたユーザ情報で前記第１のファイルを編集するべく、チェックアウト指示を受け付けるチェックアウト指示手段と、
前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段として機能させ、
前記管理装置を、
前記第１のファイルのファイル識別情報と、前記ユーザ情報と、前記第１のファイルにおける編集位置の情報とを含む、ユーザ情報それぞれに対してチェックアウトするチェックアウト要求を受信する受信制御手段と、
前記編集位置の情報に従って、前記ファイル識別情報に対応する第１のファイルから複数の第２のファイルを生成する生成手段と、
前記ユーザ情報を用いて、前記生成された複数の第２のファイルをチェックアウトするチェックアウト手段として機能させることを特徴とするプログラム。
【請求項１３】
第１のファイルのファイル識別情報と、ユーザ情報と、前記第１のファイルにおける編集位置の情報とを含む、ユーザ情報それぞれに対してチェックアウトするチェックアウト要求を受信する受信制御手段と、前記編集位置の情報に従って、前記ファイル識別情報に対応する第１のファイルから複数の第２のファイルを生成する生成手段と、前記ユーザ情報を用いて、前記生成された複数の第２のファイルをチェックアウトするチェックアウト手段とを備える管理装置と通信可能な画像処理装置のプログラムであって、
前記画像処理装置を
編集する第１のファイルを選択するファイル選択手段と、
前記第１のファイルにおける編集位置を指定する指定手段と、
前記指定手段により指定される編集位置に対応する、前記第１のファイルを編集するユーザのユーザ情報を選択するユーザ選択手段と、
前記ユーザ選択手段により選択されたユーザ情報で前記第１のファイルを編集するべく、チェックアウト指示を受け付けるチェックアウト指示手段と、
前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段として機能させることを特徴とするプログラム。
【請求項１４】
編集する第１のファイルを選択するファイル選択手段と、前記第１のファイルにおける編集位置を指定する指定手段と、前記指定手段により指定される編集位置に対応する、前記第１のファイルを編集するユーザのユーザ情報を選択するユーザ選択手段と、前記ユーザ選択手段により選択されたユーザ情報で前記第１のファイルを編集するべく、チェックアウト指示を受け付けるチェックアウト指示手段と、前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段とを備える画像処理装置と通信可能な管理装置のプログラムであって、
前記第１のファイルのファイル識別情報と、前記ユーザ情報と、前記第１のファイルにおける編集位置の情報とを含む、ユーザ情報それぞれに対してチェックアウトするチェックアウト要求を受信する受信制御手段と、
前記編集位置の情報に従って、前記ファイル識別情報に対応する第１のファイルから複数の第２のファイルを生成する生成手段と、
前記ユーザ情報を用いて、前記生成された複数の第２のファイルをチェックアウトするチェックアウト手段として機能させることを特徴とするプログラム。
【手続補正２】
【補正対象書類名】明細書
【補正対象項目名】０００９
【補正方法】変更
【補正の内容】
【０００９】
画像処理装置とファイルを管理する管理装置とを含むファイル管理システムであって、前記画像処理装置は、編集する第１のファイルを選択するファイル選択手段と、前記第１のファイルにおける編集位置を指定する指定手段と、前記指定手段により指定される編集位置に対応する、前記第１のファイルを編集するユーザのユーザ情報を選択するユーザ選択手段と、前記ユーザ選択手段により選択されたユーザ情報で前記第１のファイルを編集するべく、チェックアウト指示を受け付けるチェックアウト指示手段と、前記チェックアウト指示手段によるチェックアウト指示に従って、前記第１のファイルのファイル識別情報と、前記ユーザ情報と、前記ユーザ情報に対応する前記第１のファイルにおける編集位置の情報とを含む、前記ユーザ選択手段により選択されたユーザ情報それぞれに対してチェックアウトするチェックアウト要求を送信する送信制御手段とを備え、前記管理装置は、前記第１のファイルのファイル識別情報と、前記ユーザ情報と、前記第１のファイルにおける編集位置の情報とを含む、ユーザ情報それぞれに対してチェックアウトするチェックアウト要求を受信する受信制御手段と、前記編集位置の情報に従って、前記ファイル識別情報に対応する第１のファイルから複数の第２のファイルを生成する生成手段と、前記ユーザ情報を用いて、前記生成された複数の第２のファイルをチェックアウトするチェックアウト手段とを備えることを特徴とする。